(57)【特許請求の範囲】
【請求項１】
立設した３本以上の支柱（11）と、該支柱（11）間を連結させて補強するための複数本の横材（12）とから少なくとも成す支持台（１）と、該支持台（１）の上部に設けた見晴し台（２）と、前記支持台（１）の内側で且つ地上から前記見晴し台（２）に渡って設けた廻り階段（３）と、から少なくとも構成したものであり、前記見晴し台（２）は、三角平面構造軸組で形成した床面（21）と、手スリ（22）と、から少なくとも構成し、且つ、前記廻り階段（３）には、左右の足の踏む位置を特定した左足用階段部材（31）と右足用階段部材（32）とが、段差を設けて配置されたことを特徴とするグランド用見晴し塔。
【請求項２】
前記床面（21）に、座席（４）を少なくとも設置し、且つ、前記手スリ（22）には、手スリ枠（221）に隙間を設けて透明板（222）が配置された請求項１記載のグランド用見晴し塔。
【請求項３】
前記床面（21）に、座席（４）を少なくとも設置し、且つ、前記手スリ（22）には、手スリ枠（221）にフィールドの色で塗装した網（223）が張設された請求項１記載のグランド用見晴し塔。
【請求項４】
前記廻り階段（３）の左足用階段部材（31）と右足用階段部材（32）との側面に面戸板（33）が固着された請求項１記載のグランド用見晴し塔。
【発明の詳細な説明】
【技術分野】
【０００１】
本発明はサッカーやラグビーなどの練習を高所から監視しながら、選手の指導を行うためのグランド用見晴し塔に関する。
【背景技術】
【０００２】
一般にサッカーやラグビーなどの競技を練習して、その技能を向上させるために指導する場合、指導者はフィールドの外側に設けた待機場所から見守りながら（観察或いは監視しながら）選手を指導することが多いが、フィールド内を指導者が斜めに走りながら、選手のプレーについて直接指導することもあった。しかしながら、フィールドは広いので、指導者が直接指導することは大変な労力を要すると共に、平面状の指導しか行えず、選手全体の動きを把握することは難しいものであった。この対策として、指導者がクレーン車などに乗り込んで、フィールド全体を見下ろす高所から各選手の動きを指導する場合も稀にあるようだが、クレーン車などを借りて競技場へ運び入れることは、金銭面で多く負担が掛ると共にクレーン車の手配などの確保が大変であった。
【０００３】
従来、高所から監視しながら競技選手を指導するために、フィールドの外側に常設した建築物（グランド用見晴し塔）はなかった。
【０００４】
尚、フィールドの外周に設けられ、フィールド側へ引出し可能にした観覧席が、特開２０１５−１９６９９３で提案されている。この観覧席の上方に座りながら選手の動きを監視しながら指導することも考えられるが、これは、引出し可能な可動レール及び可動席であるため、使用する度に観覧席の出し入れの作業を行わなければならず、その作業は大変面倒であると共に可動式観覧席の製作費は高く、手軽に設置出来るものではなかった。
【先行技術文献】
【特許文献】
【０００５】
【特許文献１】特開２０１５−１９６９９３号公報
【発明の概要】
【発明が解決しようとする課題】
【０００６】
本発明はサッカーやラグビーなどの練習を高所から監視しながら、選手の指導が出来るものとなると共に、場所を取らずに手軽に建設でき、且つ、横方向の外力に対しても強いグランド用見晴し塔を提供することを目的とする。
【０００７】
本発明の他の目的はサッカーやラグビーなどの練習を、高所に座り、フィールド全体を見渡しながら選手の指導が出来ると共に、長時間に渡って且つ安全に選手の指導が出来るグランド用見晴し塔を提供することにある。
【課題を解決するための手段】
【０００８】
本発明は上記現状に鑑み成されたものであり、つまり、立設した３本以上の支柱と、該支柱間を連結させて補強するための複数本の横材とから少なくとも成す支持台と、該支持台の上部に設けた見晴し台と、支持台の内側で且つ地上から見晴し台に渡って設けた廻り階段と、から少なくとも構成したものであり、前記見晴し台は、三角平面構造軸組（平面トラス）で形成した床面と、手スリと、から少なくとも構成し、且つ、廻り階段には、左右の足の踏む位置を特定した左足用階段部材と右足用階段部材とが段差を設けて配置されたものと成す。また前記床面に座席を少なくとも設置すると共に前記手スリには、手スリ枠に隙間を設けて透明板が配置されるか、或いはフィールドの色で塗装した網を手スリ枠に張設するものとしても良い。又、前記廻り階段の左足用階段部材と右足用階段部材との側面に面戸板を固着したものとしても良い。
【０００９】
尚、本発明で言う「三角平面構造軸組（平面トラス）」とは、図３に示すように床面の斜梁の配置によって、全て三角形によって形成される平面を指すものとする。例えば、床面を図４の如く前後左右に延出させる場合には、図中の２点鎖線のように全て三角形によって平面に形成される構造となる。つまり、床面（平面）を均等な三角形（直角三角形又は２等辺三角形）で分割配置割りし、これを梁組として必要な交点に柱を配する設計法を指す。また「フィールドの色で塗装」とは、フィールドが土であれば茶色系の色で、フィールドが芝生であれば緑色系の色で、塗装されることを指すものとする。
【発明の効果】
【００１０】
請求項１のように立設した３本以上の支柱（11）と、該支柱（11）間を連結させて補強するための複数本の横材（12）とから少なくとも成す支持台（１）と、該支持台（１）の上部に設けると共に、三角平面構造軸組で形成した床面（21）と、手スリ（22）と、から少なくとも成した見晴し台（２）と、支持台（１）の内側で且つ地上から見晴し台（２）に渡って設けると共に左右の足の踏む位置を特定した左足用階段部材（31）と右足用階段部材（32）とが段差を設けて配置された廻り階段（３）と、から少なくとも構成することにより、狭い場所で建設することが可能なものとなり、且つ、床面（21）の斜梁（212）の配置によって、あらゆる方向の外力に対して平均的に耐えるものとなる。又、支柱（11）を必ずしも４隅に配さずに３本にすることができるため、図１に示すベンチに座って観戦する場合、視界を遮る支柱（11）が減り、開放的なものになる。しかも左足用階段部材（31）と右足用階段部材（32）を有する廻り階段（３）は省スペース化が可能なものとなる。従って、高所から選手をコーチすることが出来ると共に、従来出来なかったフォーメーションの訓練やチェックを行うことも可能となった。
【００１１】
請求項２のように床面（21）に、座席（４）を少なくとも設置し、且つ、手スリ（22）には、手スリ枠（221）に隙間を設けて透明板（222）が配置されることにより、後述する座席（４）に座った際に遮られる視界を極力減少させると共に透明板（222）の隙間から手を入れて汚れを拭き取ることができ、且つ、手スリ（22）に掛る風圧を前記隙間によって減少させる効果も期待できるものとなる。更に風通しが良く、選手と共有できる臨場感が得られるものとなる。また座席（４）に座りながら選手の監視或いは観察して指導することが、長時間に渡っても疲れず、且つ安全にそれらが行えるものとなる。
【００１２】
請求項３に示すように床面（21）に、座席（４）を少なくとも設置し、且つ、手スリ（22）には、手スリ枠（221）にフィールドの色で塗装された網（223）を張設することにより、見晴し台（２）に設けた座席（４）に座って監視しても、網（223）がフィールドに溶け込まれた状態になり、手スリ（22）が監視の邪魔にならないものとなる。更に風通しが良く、選手と共有できる臨場感が得られるものとなる。また座席（４）に座りながら選手の監視或いは観察して指導することが、長時間に渡っても疲れず、且つ、安全にそれらが行えるものとなる。
【００１３】
請求項４に示すように廻り階段（３）の左足用階段部材（31）と右足用階段部材（32）との側面に面戸板（33）を固着させることにより、廻り階段（３）の強度がより強固なものとなる。
【図面の簡単な説明】
【００１４】
【図１】本発明の実施形態を示す説明図である。
【図２】本実施形態の見晴し台の床部位置を示す説明図である。
【図３】本実施形態の見晴し台の床構造を示す説明図である。
【図４】本実施形態の見晴し台の床面が前後左右に拡張される場合の床構造を示す説明図である。
【図５】本実施形態の手スリを示す説明図である。
【図６】図５のＸ−Ｘ断面を示す説明図である。
【図７】別実施形態の手スリを示す説明図である。
【図８】本実施形態の廻り階段の要部を示す説明図である。
【図９】本実施形態の座席と立ち席の要部断面を示す説明図である。
【発明を実施するための形態】
【００１５】
本発明の実施形態を図１〜図３に基づいて説明する。（１）は立設した３本の支柱（11）と、該支柱（11）間を連結させて補強するための複数本の横材（12）とから少なくとも成された支持台であり、該支持台（１）の支柱（11）は、後述する床面（21）を均等な三角形（直角三角形又は２等辺三角形）で分割配置割りし、これを梁組として必要な交点に支柱（11）が配置されている。この時、図４のように後述する見晴し台（２）の床面（21）が前後左右に拡張される場合の支柱（11）の本数は、３本に限定されるものではなく、必要に応じて交点に支柱（11）を配置すれば良い。また支柱（11）の中間高さ（２階相当高さ）に横材（12）を設けて、踊り場を形成させておくと良い。又、前記支柱（11）の材料としては、Ｈ型鋼などの鉄骨材やチャンネル鋼などの鋼材を用い、前記横材（12）の材料としては、前記支柱（11）の材料以外に、Ｌ型鋼，鋼管，丸鋼，平板鋼などの鋼材を用いると良い。前記支柱（11）の下部はコンクリート製の基礎に固定、或いはコンクリート打設させたものとしても良い。
【００１６】
（２）は支持台（１）の上部に設けた見晴し台であり、該見晴し台（２）は、三角平面構造軸組（平面トラス）で形成した床面（21）と、手スリ（22）とから少なくとも構成されている。前記床面（21）は、図３に示すように四角形状で鉄骨製の支持枠（211）と、該支持枠（211）内に配置した鉄骨製の斜梁（212）と、複数本の鋼板材（213）と、図示しない床板などと、から構成されており、斜梁（212）の両端は支柱（11）に固着している。
【００１７】
前記手スリ（22）には、図５に示す如き手スリ枠（221）と、隙間を設けて取付けられると共に後述する座席（４）の正面に取付けられる透明板（222）とがあり、前記手スリ枠（221）は、図５、図６に示すように、支え柱（221a）と、水平方向に配置されたアルミニウム製のサッシ（221b）と、その上部に丸棒（221d）を介して溶接で固着された力骨フラットバー（221c）と、後述する屋根（６）の支え柱（61）に固定して設けた支え吊材（221e）と、から成されている。前記透明板（222）としては、強化ガラスやポリカーボネイト板などを用いる。また透明板（222）を配置させる際に設ける隙間の大きさとしては、手の出し入れができる程度の隙間があれば良い。前記支え吊材（221e）は手スリ（22）を屋根（６）に吊り下げられて設けるためのものである。
【００１８】
前記透明板（222）の代りに、図７に示す如きフィールドの色で塗装された網（223）を張設させたものとしても良い。この時、前記網（223）に塗布する色としてフィールドの色、つまり、フィールドが土であれば茶色系の色、フィールドが芝生であれば緑色系の色とするのが好ましい。また前記網目としては、図中のように菱形になるように張設するのが好ましい。尚、四角形の網目にすると、縦の線材同志が重なり合って視界を妨げる恐れを生じるものとなる。
【００１９】
（３）は支持台（１）の内側で且つ地上から見晴し台（２）に渡って設けた廻り階段であり、該廻り階段（３）は、左右の足の踏む位置を特定した左足用階段部材（31）と右足用階段部材（32）とが１／２段分の段差を設けて図８の如く配置されている。また前記廻り階段（３）には、図８に示す奇数側の段板がある左足用階段部材（31）と、偶数側の段板がある右足用階段部材（32）と、左足用階段部材（31）と右足用階段部材（32）との側面に固着する面戸板（33）とがある。この時の左足用階段部材（31）と右足用階段部材（32）を製作する場合は、奇数通しの段を曲げて段板部と蹴込み板部を折曲させ且つそれをつなげて形成した左足用階段部材（31）を作り、偶数通しの段を曲げて段板部と蹴込み板部を折曲させ且つそれをつなげて形成した右足用階段部材（32）を作り、左足用階段部材（31）と右足用階段部材（32）との間に面戸板（33）を配置させ溶接して完成すれば良い。尚、図１に示すように、廻り階段（３）に階段用手スリ（34）を備えたものとしても良い。
【００２０】
（４）は床面（21）に設置した座席であり、該座席（４）は、図２に示す一点鎖線位置に設置すると共に前側に６席設けられているが、座席（４）の数は床面（21）の広さによって決定される。（５）は床面（21）に設置した立ち席であり、該立ち席（５）は、立ち台（51）と手スリ（52）とが一体に形成されている。この立ち席（５）は図中の２点鎖線位置に設けると共に図９の如く立ち席（５）は座席（４）の後方に設けられる。
【００２１】
（６）は床面（21）の上方に設置された屋根であり、該屋根（６）は、床面（21）の両側及び中間に立設した支え柱（61）と、屋根板（62）とから構成されている。また屋根（６）は固定式に限定されるものではなく、例えば、オーニングを並列させた収納可能なものとしても良い。尚、前記屋根（６）は必ずしも設置する必要はない。
【００２２】
次に本発明の作用を説明する。先ず、本発明の見晴し台（２）を、三角平面構造軸組（平面トラス）で形成した床面（21）で構成させ、図３に示すように鉄骨製の支持枠（211）と、鉄骨製の斜梁（212）とによって、三角形（Ａ）と三角形（Ｂ）及び三角形（Ｃ）の３つの三角形が形成される。又、図４の如く床面（21）の前後左右に延出させる場合には、図中の２点鎖線のように全て三角形によって平面に形成される構造となる。このため、従来の一般的な床面（21）の構造である四角形のものと比べ、本発明は平面を均等な三角形で分割配置割し、必要に応じて交点に支柱（11）を立設する三角平面構造軸組に成すことによって、横方向の外力だけでなく、あらゆる方向の外力に対して平均的に耐えるものとなるのである。
【００２３】
又、本発明の廻り階段（３）が、図８に示すように、左右の足の踏む位置を特定した左足用階段部材（31）と右足用階段部材（32）とが段差を設けて配置された構造とすることにより、狭い場所で建設することが可能なものとなる。また一般の廻り階段（３）と比べ、同じ大きさのものであれば、段板(踏面)の寸法が同じ寸法で確保でき、しかも、倍の高さが稼げるものとなる。
【００２４】
次に本発明の使用方法について説明する。先ず地上から廻り階段（３）を登り、見晴し台（２）に到達した後、座席（４）に座りながら、指導者はフィールドでプレーしている選手を観察或いは監視しながら、各選手を指導することが可能となった。この時、視界を遮る障害物が手スリ（22）にはなく、且つ、長時間に渡って安全に選手の指導が行えるものとなる。このため、サッカーやラグビーなどの練習を高所から監視しながら指導することが容易に行えるものとなった。従って、フィールド全体を見渡しながら、フォーメーション，各選手の動き，他の選手との連係プレーなどの技術面での指導内容が、今までになく充実可能なものとなる。
【００２５】
このように本発明に於いて、見晴し台（２）に監督やコーチを始め取材陣等を乗せ、チームの仕上がり具合或いは練習試合等が観覧できるものとなるため、選手の指導だけでなく、取材陣等に解説しながら観覧してもらえ、チームの宣伝にもなる。
【産業上の利用可能性】
【００２６】
本発明品は、サッカーやラグビー以外、例えば、アメリカンフットボールや野球など多目的に使用されるスタジアムに設け、選手を指導するための指導者用の塔として利用しても良い。
【符号の説明】
【００２７】
１  支持台
11  支柱
12  横材
２  見晴し台
21  床面
22  手スリ
221  手スリ枠
222  透明板
223  網
３  廻り階段
31  左足用階段部材
32  右足用階段部材
33  面戸板
４  座席
５  立ち席
【図１】
0006661436.tif 000002
【図２】
0006661436.tif 000003
【図３】
0006661436.tif 000004
【図４】
0006661436.tif 000005
【図５】
0006661436.tif 000006
【図６】
0006661436.tif 000007
【図７】
0006661436.tif 000008
【図８】
0006661436.tif 000009
【図９】
0006661436.tif 000010